(57)【特許請求の範囲】
【請求項１】
水質を改善するフィルターケースを設け、前記フィルターケースには浄化剤と、前記浄化剤を収容するカバーケースとを備え、前記カバーケースの開口部を一個の多孔体で形成したフィルターで覆うと共に、前記フィルターの上部に流入口を、下部に流出口をそれぞれ設け、前記流入口より流入した湯が前記フィルターを通過して前記カバーケース内に入り、前記浄化剤を通過し、再び前記フィルターを通過して前記流出口から流出するようにし、前記フィルタが目詰まりを起こした時に、前記流入口より流入した湯を容器内に排出する排出口を設けた電気湯沸かし器。
【請求項２】
取付ケースに仕切り板を設け、前記仕切り板の上部に流入口を設け、下部に流出口を設けた請求項１に記載の電気湯沸かし器。
【請求項３】
多孔体で形成したフィルターは、カバーケースと取付ケースとの間に挟持される請求項１に記載の電気湯沸かし器。
【請求項４】
多孔体で形成したフィルターは、取付ケースまたはフィルターケースと一体である請求項１に記載の電気湯沸かし器。
【請求項５】
カバーケースの浄化剤の収容部底面が傾斜している請求項１に記載の電気湯沸かし器。
【請求項６】
取付ケースの流入口に液体の流れ方向に広がるハの字状の傾斜させた整流板を設けた請求項１に記載の電気湯沸かし器。
【発明の詳細な説明】
【０００１】
【発明の属する技術分野】
本発明は、容器に収容した液体を加熱・保温し、器体外へ導出する電気湯沸かし器に関するものである。
【０００２】
【従来の技術】
従来、この種の電気湯沸かし器は、図６に示すように、液体収容容器１から伸出した導出パイプ２を容器１の上方側面に設けた環流パイプ２ａへ切替弁装置３を介して接続すると共に、底が多孔体１１ａの下ケース１１ｂと前記下ケース１１ｂとの接合面に多孔体１２ａを設置した上ケース１２ｂとに覆われた浄化剤１０を内蔵させた箱体１３を、環流パイプ２ａの容器１内側へ下ケース１１ｂに設けた取付部により装着した構成により、流路１７のように湯が環流パイプ２ａから取付治具４を介し、上ケース１２ｂに流れ込み、上から下へ多孔体１２ａと浄化剤１０と多孔体１１ａとを通過し、ケース１１ｂに沿って容器１内に流れ込み、容器１内水の浄化を行い、美味しい湯を得る構造をとっていた。
【０００３】
【発明が解決しようとする課題】
しかしながら、上記従来の電気湯沸かし器では、浄化剤１０を箱体１３と２つの多孔体１１ａおよび多孔体１２ａで覆う必要があった。つまり、浄化剤１０を封入するために液体の流入側と流出側に多孔体がそれぞれ１個ずつ、合計２個必要であるため、部品点数が多く、組立工数も多くなり、コスト高になるといった課題があった。
【０００４】
本発明は上記課題を解決するもので、安価で、組立性を向上させることを目的とする。
【０００５】
【課題を解決するための手段】
上記課題を解決するため、本発明の電気湯沸かし器は、水質を改善するフィルターケースを設け、前記フィルターケースには浄化剤と、前記浄化剤を収容するカバーケースとを備え、前記カバーケースの開口部を一個の多孔体で形成されたフィルターで覆うと共に、前記フィルターの上部に流入口を、下部に流出口をそれぞれ設け、前記流入口より流入した湯が前記フィルターを通過して前記カバーケース内に入り、前記浄化剤を通過し、再び前記フィルターを通過して前記流出口から流出するようにし、前記フィルタが目詰まりを起こした時に、前記流入口より流入した湯を容器内に排出する排出口を設けた構成とする。
【０００６】
これらの構成により、一個の多孔体形成されたフィルターで浄化剤内蔵ケースを構成することができ、安価でかつ組立性の向上を図るものである。
【０００７】
【発明の実施の形態】
請求項１記載の発明は、水質を改善するフィルターケースを設け、前記フィルターケースには浄化剤と、前記浄化剤を収容するカバーケースとを備え、前記カバーケースの開口部を１個の多孔体で形成されたフィルターで覆うと共に、前記フィルターの上部に流入口を、下部に流出口をそれぞれ設け、前記流入口より流入した湯が前記フィルターを通過して前記カバーケース内に入り、前記浄化剤を通過し、再び前記フィルターを通過して前記流出口から流出するようにし、前記フィルタが目詰まりを起こした時に、前記流入口より流入した湯を容器内に排出する排出口を設けた電気湯沸かし器とするものである。
【０００８】
請求項２記載の発明は、取付ケースに仕切り板を設け、前記仕切り板の上部に流入口を設け、下部に流出口を設けた請求項１に記載の電気湯沸かし器とする。
【０００９】
請求項３記載の発明は、多孔体で形成したフィルターは、カバーケースと取付ケースとの間に挟持される請求項１に記載の電気湯沸かし器とする。
【００１０】
請求項４記載の発明は、多孔体で形成したフィルターは、取付ケースまたはフィルターケースと一体である請求項１に記載の電気湯沸かし器とする。
【００１１】
請求項５記載の発明は、カバーケースの浄化剤の収容部底面が傾斜している請求項１に記載の電気湯沸かし器とする。
【００１２】
請求項６記載の発明は、取付ケースの流入口に液体の流れ方向に広がるハの字状の傾斜させた整流板を設けた請求項１に記載の電気湯沸かし器とする。
【００１３】
そして、本発明は、水質を改善するフィルターケースを設け、前記フィルターケースには、浄化剤と前記浄化剤を収容するカバーケースとを備え、前記カバーケースの開口部を一個の多孔体で形成されたフィルターで覆い、また、取付ケースに仕切り板を設けることにより、前記多孔体で形成されたフィルターの上部に液体流入口を設け、下部には液体流入口を設けた構成としたので、安価でかつ組立性の向上を図ることができる。
【００１４】
また、浄化剤を内蔵するための多孔体で形成されたフィルターの孔が水垢やゴミで目づまりしても、切替弁装置などに水圧が掛かることが防止でき、水漏れが発生することを防止することができる。
【００１５】
また、本発明は、多孔体で形成されたフィルターがカバーケースと取付ケースとの間に挟持される構成とするもので、前記多孔体をカバーケースまたは取付ケースのいずれか一方に接合する必要がなく、組立性の向上を具現化する事ができる。
【００１６】
さらには、多孔体で形成されたフィルターを取付ケースまたはフィルターケースと一体とすることで、部品を一体となり、前記多孔体で形成されたフィルターをカバーケースまたは取付ケースに接合する必要がなく、部品点数と組立工数を少なくすることができ、安価でかつ組立性の向上を図ることができる。
【００１７】
また、本発明はカバーケースの底面が傾斜させており、液体が通過する部分に効率的に浄化剤を設置し、浄化剤を効率的に用いることにより、浄化剤の充填量を低減することができる。
【００１８】
また、取付ケースの流入口に液体の流れに対して傾斜した整流板を設け、環流パイプから出た水流は、この整流板に当って広がり、カバーケース内の浄化剤の隅々に効率的に水を供給することができるため、効率的な浄水ができるとともに浄化剤の劣化も均一となって、全体としての寿命を延ばすことができる。
【００１９】
【実施例】
以下、本発明の一実施例について図１〜５を参照しながら説明する。図１に示すように、底にヒーターを配設した液体収容容器１の底より導出した導出パイプ２は切替弁装置３を介して、一方は容器１の上方の側面につながる環流パイプ２ａへ接続するとともに、他方はパイプ５を通じて外部へ放出する吐出パイプへとつながっている。
【００２０】
そして、取付治具４が容器１内側に位置し、前記取付治具４により容器１と環流パイプ２ａとは結合されている。
【００２１】
また、粒状の活性炭などから成る浄化剤１０をカバーケース７に内蔵し、前記カバーケースの開口部に、接合面に多孔体で形成されたフィルター６を設置した取付ケース８を、ネジまたは熱溶着といった方法により接合し、浄化剤１０を内蔵したフィルターケース９を形成している。
【００２２】
図２は、多孔体で形成されたフィルター６を、取付ケース８に一体に形成した別の構成を示すものである。
また、浄化剤１０は、液体を浄化する作用があれば取付けケース８の多孔体で形成されたフィルターの穴径よりも大きい球状活性炭のようなものでもよい。
【００２３】
図３は、環流パイプ２ａおよび取付治具４に取付ケース８を装着したときに形成される流路１５を示しており、前記取付ケース８の仕切り板８ｃより上部の流入口８ａに流入した湯が、多孔体で形成されたフィルター６を通過し、カバーケース７内に入り、前記カバーケース７に内蔵された浄化剤１０を通過し、再び前記フィルター６を通過し、前記取付ケース８の前記仕切り板８ｃより下部に設けられた流出口８ｂより容器１内へ流入する湯の経路を示したものである。
【００２４】
図４は、環流パイプ２ａおよび取付治具４に取付ケース８を装着したときに形成される流路１５を示しており、環流パイプ４からの水流の噴出方向を意図的に変えることができる整流板９を、前記取付ケース８のフィルター６に至るまでに流路を拡大する方向（ハの字型）に設置されている。
【００２５】
切替弁装置３は、電気的に制御されていて、必要な時間だけ導出パイプ２から押し出された湯が、環流パイプ２ａ側へ流される。これ以外のときは、外部からの操作に応じてパイプ５側へ流れ、容器１内の湯を取り出すことができるものである。
【００２６】
そして、環流パイプ２ａへ導かれた湯は、整流板９により流路を左右に拡大されて、取付ケース８のフィルター６を介して浄化剤１０へ均一に散らされる。
【００２７】
このように、浄化剤１０に均等に湯を供給することで、効率的な浄化を行い、かつ、浄化剤１０の部分劣化を防止し、延いては全体として長く循環浄水が行ことができる。
【００２８】
また、長時間循環浄水を行っていると、水垢やゴミの付着により、フィルター６の孔が目詰まりを起こして、水流が阻止される場合があるが、整流板９により左右に流路を変えられた水は、排出口１４から容器１内へ排出され、切替弁装置３などの内部装置に過大な圧力が掛からないため、故障などの不具合を防止することもできる。
【００２９】
図５は、カバーケース７の底面を傾斜させたもので、傾斜部に浄化剤１０集中させて配置するために、効率的な浄化作用を行うことができる。
【００３０】
【発明の効果】
以上の実施例の説明より明らかなように、本発明によれば、一個の多孔体形成されたフィルターで浄化剤内蔵ケースを構成することができ、安価でかつ組立性の向上を図ることができる電気湯沸かし器を提供することができるものである。
【図面の簡単な説明】
【図１】本発明の電気湯沸かし器における浄化フィルター装置を示す要部断面図
【図２】本発明の別の形態を示す電気湯沸かし器の浄化フィルター装置を示す要部断面図
【図３】本発明の電気湯沸かし器における浄化フィルター装置に供給される水の流路を示す断面図
【図４】本発明の電気湯沸かし器における浄化フィルター装置に供給される水の流路を示す平面断面図
【図５】本発明の電気湯沸かし器におけるカバーケースの底面が傾斜している浄化フィルター装置を示す断面図
【図６】従来例の電気湯沸かし器の浄化フィルター装置を示す主要断面図
【符号の説明】
１  容器
２  導出パイプ
２ａ  環流パイプ
３  切替弁装置
４  取付治具
５  パイプ
６  フィルター
７  カバーケース
８  取付ケース
８ａ  流入口
８ｂ  流出口
９  整流板
１０  浄化剤
１１ａ  多孔体で形成されたフィルター
１１ｂ  下ケース
１２ａ  多孔体
１２ｂ  上ケース
１３  箱体
１４  排出口
１５  流路
【図１】
0003617408.tif 000002
【図２】
0003617408.tif 000003
【図３】
0003617408.tif 000004
【図４】
0003617408.tif 000005
【図５】
0003617408.tif 000006
【図６】
0003617408.tif 000007